(57)【要約】【課題】  高さ方向の引き抜き力に対する強度が高くて両ハウジングが外れにくく、スライドハウジングが高さ方向に直交する任意の方向にスライドして相手側コンタクトとの接触不良やコンタクトの座屈などを起こすことなく相手側コネクタとの相対位置のずれを確実に吸収することができ、簡単に製造することができ、コンタクトの剛性設定により高い自立性を併せ持ったフローティングコネクタを提供する。【解決手段】  ベースハウジング１１０にコンタクト１３０の接続部１３１を圧入し、スライドハウジング１２０にコンタクトの接触部１３２を圧入し、両ハウジングを幅方向への突出部１２４及びこれが嵌挿する溝１１３により高さ方向に直交する任意の方向にスライド可能に関係づけたフローティングコネクタ１００。【選択図】  図１
2005093424.tif 000002
【特許請求の範囲】
【請求項１】
互いに直交する奥行き方向、幅方向、及び高さ方向をとったときに、
高さ方向の一端に高さ方向に向いた第１接触面が形成され、第１貫通孔が高さ方向に貫通して設けられた絶縁性のベースハウジングと、
高さ方向の一端に高さ方向に向いてベースハウジングの第１接触面と接触する第２接触面が形成され、ベースハウジングの第１貫通孔に連続する第２貫通孔が高さ方向に貫通して設けられた絶縁性のスライドハウジングと、
ベースハウジングの第１貫通孔及びスライドハウジングの第２貫通孔に高さ方向の一方側から挿入されると共に、ベースハウジングの第１貫通孔に圧入され、先端部が第１貫通孔から突き出て外部の部材の導体に接続される接続部と、スライドハウジングの第２貫通孔に圧入され、相手側コネクタのコンタクトに接触する接触部と、この接続部と接触部との間に設けられ、接触部及び接続部が高さ方向に直交する任意の方向にずれることができるように弾性変形するフローティング部とを有する導電性のコンタクトとを備え、
ベースハウジング及びスライドハウジングのうち一方には、幅方向の両側に突出した突出部が設けられ、
ベースハウジング及びスライドハウジングのうち他方には、幅方向の両側に、幅方向の外側に向かって凹む溝が奥行き方向に沿って延びると共に、この溝の少なくとも奥行き方向の手前が開放されており、
この溝に突出部が幅方向及び奥行き方向に余裕をもって嵌挿されることでスライドハウジングがベースハウジングに対して高さ方向に直交する任意の方向にスライド可能となり且つ高さ方向の移動が規制されるように構成したフローティングコネクタ。
【請求項２】
コンタクトのフローティング部は、高さ方向に直交し且つ互いに交差する２方向を向いた第１の板面及び第２の板面を高さ方向に連続して設けることで構成されている請求項１のフローティングコネクタ。
【請求項３】
コンタクトの接触部には第２貫通孔を構成する壁に食い込む第２の突起部が形成され、第１貫通孔はこの接触部及び第２の突起部が通過できるように設けられており、
コンタクトの接続部には第１貫通孔を構成する壁に食い込む第１の突起部が形成されている請求項１又は請求項２のフローティングコネクタ。
【請求項４】
相手側コネクタに係合するロック部が、スライドハウジングに設けられている請求項１ないし請求項３のうちいずれか１項のフローティングコネクタ。
【発明の詳細な説明】
【技術分野】
【０００１】
本発明は、電気コネクタの分野に属し、相手側コネクタとの相対位置にずれがあっても、このずれを吸収して相手側コネクタに嵌合することができるようにしたフローティングコネクタに関する。
【背景技術】
【０００２】
特許文献１は、最上端に接触部を有しかつ最下端にソルダーテールを有する接続子を収容保持するための絶縁体ハウジングの内側に設けられた複数個の接続子固定孔の中に、対応する上記接続子の接触部の基体部を圧入固定した各接続子毎にただ１つの固着手段を持つ多極コネクタを開示している。この多極コネクタの場合、上記接触部と上記ソルダーテールとの間で直交する２方向の相対的なずれを吸収調整するために、上記接続子は、上記基体部を圧入する第１の方向に対して可撓性が得られるように折り曲げ加工により形成したＵ字形の上部スプリングと、このＵ字形の上部スプリングから折り曲げられた加工部を経て、上記Ｕ字形の上部スプリングと同じ向きのＵ字形を構成するように打ち抜き加工により形成したＵ字形の下部スプリングと、このＵ字形の下部スプリングと上記ソルダーテールとの間に設けられた抜け防止手段とを一体的に具備し、上記抜け防止手段は、上記接触部と上記ソルダーテールとの間の上記第１の方向の移動によつて上記接続子が上記絶縁体ハウジングから抜け出るのを防止するために上記絶縁体ハウジングに係合する舌片を有している。
【０００３】
特許文献２は、複数の導電性のコンタクトを保持したコネクタと、上記コンタクトに接触する複数の導電性の相手コンタクトを保持した相手側コネクタとを含み、上記コネクタと上記相手側コネクタとを嵌合方向で相対的に移動して上記コンタクトと上記相手コンタクトとを接触させるコネクタ装置を開示している。このコネクタ装置の場合、上記コネクタは、上記コンタクトを保持したベースインシュレータと、このベースインシュレータに組み合わされるガイドインシュレータとを有し、上記ベースインシュレータはベース板部と、このベース板部の対向面上にのびかつ対向面上で所定間隔をもって互いに対向するよう設けた弾性変形可能な一対の第１の係合片と、この一対の第１の係合片の先端部分に形成した第１のフック部と、上記コンタクトを収容するよう上記ベース板部に形成した第１の収容部とを有し、上記ガイドインシュレータは上記相手側コネクタを受け入れるよう形成した溝部と、上記コンタクトを収容した第２の収容部とを有し、上記コンタクトは上記溝部に位置する接触部と、この接触部の一端側に連接されて上記第１の収容部に収容される中間部と、この中間部の一部にあって上記第１の収容部で弾性変形が可能に位置している変形弾性可能なフローティング部と、このフローティング部の一端側に連接され上記第１の収容部で保持される保持部と、この保持部の一端側に連接され上記ベース板部の外にのびている接続部とを有し、上記ガイドインシュレータには上記第１の係合片を受け入れる位置決め孔と、上記係合片の第１のフック部に係合するよう位置決め孔の壁面に第１の係合段部とが形成されている。
【特許文献１】実公平７−２２８６５号公報
【特許文献２】特開平１１−１１１４０８号公報
【発明の開示】
【発明が解決しようとする課題】
【０００４】
特許文献１の多極コネクタの接続子は、Ｕ字形の上部スプリングと、これと同じ向きのＵ字形をした下部スプリングとを有するので、第１の方向に沿った寸法が嵩張り、コネクタが大型化するという問題がある。また、抜け防止手段の舌片は絶縁体ハウジングに係合しても構造上、ガタを伴うので、絶縁体ハウジングに対する接続子との間で相対移動があり、接続子の絶縁体ハウジングからの突き出し量が変動する。
【０００５】
これに対して特許文献２のコネクタ装置は、コンタクトが相手側コネクタとの嵌合方向にほぼ真っ直ぐに形成されているので、この嵌合方向に垂直な方向へのコネクタの大型化を防止できている。また、コンタクトの保持部をベースインシュレータの第１の収容部に圧入しているので、コンタクトのベースインシュレータ又はガイドインシュレータからの突き出し量が固定される。
【０００６】
この特許文献２のコネクタ装置は、ベースインシュレータから延びた一対の第１の係合片をガイドインシュレータの位置決め段部に係合し、この第１の係合片の弾性変形でもってガイドインシュレータをベースインシュレータに対して相手側コネクタとの嵌合方向に垂直な面に沿って動けるようにした構造である。そのため、ベースインシュレータ及びガイドインシュレータに相手側コネクタとの嵌合方向に強い引き抜き力が作用した場合、第１の係合片の位置決め段部への係合力が限界に達してベースインシュレータとガイドインシュレータとが外れるおそれがある。
【０００７】
また、このコネクタ装置を製造する場合、ベースインシュレータの一対の第１の係合片をガイドインシュレータの位置決め段部に係合する作業と、コンタクトの保持部をベースインシュレータの第１の収容部に圧入し、コンタクトの中間部をガイドインシュレータの第２の収容部に収容する作業とが必要となるので、作業が繁雑である。しかも、第１の係合片と位置決め段部との係合位置にばらつきがあると、第１の収容部と第２の収容部とが合わないので、これが合うように第１の係合片を撓ませてコンタクトを収容部に挿入する作業が必要となり、さらに作業性が悪くなる。
【０００８】
さらに、コンタクトのフローティング部が板状であるので、フローティング部がその厚さ方向に撓むときは容易に撓むので相手側コネクタとの相対位置のずれを吸収しやすいが、フローティング部がその幅方向に撓むときは抵抗が大きくなり、ずれの吸収が困難となる。しかも、コンタクトの中間部はガイドインシュレータの収容部に単に収容されているに過ぎないので、フローティング部が撓むと接触部がガイドインシュレータに対して移動するおそれがある。そうするとコンタクトの接触部と相手側コンタクトとの間で接触不良をきたしたり、コンタクトの接触部が相手側コネクタに当たって座屈するおそれがある。
【０００９】
本発明は、このような点に着目してなされたもので、その目的とするところは、ベースハウジング及びスライドハウジングを幅方向への突出部及びこれが嵌挿する溝により関係づけると共に、ベースハウジング及びスライドハウジングを貫通して両端を各ハウジングにそれぞれ圧入したコンタクトで両ハウジングを弾性的に連結することにより、高さ方向の引き抜き力に対する強度が高くて両ハウジングが外れにくく、またスライドハウジングが高さ方向に直交する任意の方向にスライドして相手側コンタクトとの接触不良やコンタクトの座屈などを起こすことなく相手側コネクタとの相対位置のずれを確実に吸収することができ、さらに簡単に製造することができ、しかもコンタクトの剛性設定により高い自立性を併せ持ったフローティングコネクタを提供することにある。
【００１０】
さらに、相手側コネクタにロック部を安定的に係合させることも目的としている。
【課題を解決するための手段】
【００１１】
上記目的を達成するため、請求項１のフローティングコネクタは、互いに直交する奥行き方向、幅方向、及び高さ方向をとったときに、高さ方向の一端に高さ方向に向いた第１接触面が形成され、第１貫通孔が高さ方向に貫通して設けられた絶縁性のベースハウジングと、高さ方向の一端に高さ方向に向いてベースハウジングの第１接触面と接触する第２接触面が形成され、ベースハウジングの第１貫通孔に連続する第２貫通孔が高さ方向に貫通して設けられた絶縁性のスライドハウジングと、ベースハウジングの第１貫通孔及びスライドハウジングの第２貫通孔に高さ方向の一方側から挿入されると共に、ベースハウジングの第１貫通孔に圧入され、先端部が第１貫通孔から突き出て外部の部材の導体に接続される接続部と、スライドハウジングの第２貫通孔に圧入され、相手側コネクタのコンタクトに接触する接触部と、この接続部と接触部との間に設けられ、接触部及び接続部が高さ方向に直交する任意の方向にずれることができるように弾性変形するフローティング部とを有する導電性のコンタクトとを備え、ベースハウジング及びスライドハウジングのうち一方には、幅方向の両側に突出した突出部が設けられ、ベースハウジング及びスライドハウジングのうち他方には、幅方向の両側に、幅方向の外側に向かって凹む溝が奥行き方向に沿って延びると共に、この溝の少なくとも奥行き方向の手前が開放されており、この溝に突出部が幅方向及び奥行き方向に余裕をもって嵌挿されることでスライドハウジングがベースハウジングに対して高さ方向に直交する任意の方向にスライド可能となり且つ高さ方向の移動が規制されるように構成している。
【００１２】
このフローティングコネクタの場合、溝に突出部が幅方向及び奥行き方向に余裕をもって嵌挿されることでスライドハウジングがベースハウジングに対して高さ方向に直交する任意の方向にスライド可能となり且つ高さ方向の移動が規制されている。そして、スライドハウジングがベースハウジングに対してスライドしてもコンタクトのフローティング部が弾性変形することでこれを吸収する。そのため、相手側コネクタとの相対位置にずれがあっても、スライドハウジングのスライドによって、このずれが吸収されて相手側コネクタに嵌合することができる。その場合、高さ方向の引き抜き力への強度が高くなってベースハウジングとスライドハウジングとが外れにくくなる。また、スライドハウジングは高さ方向に直交する任意の方向に自在にスライドして相手側コネクタとの相対位置のずれを確実に吸収することができる。コンタクトの接触部がスライドハウジングの第２貫通孔に圧入されているので、フローティング部が撓んでも接触部がスライドハウジングに対して移動することがなく、コンタクトの接触部が相手側コンタクトとの間で接触不良をきたすことはなく、コンタクトの接触部が相手側コネクタに当たって座屈することもない。さらに、ベースハウジング及びスライドハウジングのうち一方に他方を嵌挿し、第１貫通孔及び第２貫通孔にコンタクトを挿入してベースハウジング及びスライドハウジングに圧入すれば、フローティングコネクタが簡単に製造される。しかも、コンタクトの剛性設定を適切に行えば高い自立性を併せ持ったフローティングコネクタができる。
【００１３】
請求項２のフローティングコネクタは、請求項１のフローティングコネクタにおいて、コンタクトのフローティング部は、高さ方向に直交し且つ互いに交差する２方向を向いた第１の板面及び第２の板面を高さ方向に連続して設けることで構成されている。
【００１４】
このようにすれば、第１の板面の弾性的な撓みと第２の板面の弾性的な撓みとが合成されることで接触部及び接続部が高さ方向に直交する任意の方向にずれることができ、簡単な構成でフローティング部を実現することができる。
【００１５】
請求項３のフローティングコネクタは、請求項１又は請求項２のフローティングコネクタにおいて、コンタクトの接触部には第２貫通孔を構成する壁に食い込む第２の突起部が形成され、第１貫通孔はこの接触部及び第２の突起部が通過できるように設けられており、コンタクトの接続部には第１貫通孔を構成する壁に食い込む第１の突起部が形成されている。
【００１６】
このようにすれば、ベースハウジングの第１貫通孔にコンタクトを接触部から挿入すると、接触部は第１貫通孔を通過してスライドハウジングの第２貫通孔に入り、第２の突起部が第２貫通孔を構成する壁に食い込むと共に、接続部の第１の突起部が第１貫通孔を構成する壁に食い込み、これによってコンタクトの圧入が完了する。
【００１７】
請求項４のフローティングコネクタは、請求項１ないし請求項３のうちいずれか１項のフローティングコネクタにおいて、相手側コネクタに係合するロック部が、スライドハウジングに設けられている。
【００１８】
このようにすれば、フローティングコネクタと相手側コネクタとの相対位置にずれがあっても、スライドハウジングのスライドによって、このずれが吸収されてロック部は相手側コネクタに安定的に係合することができる。
【発明の効果】
【００１９】
請求項１のフローティングコネクタは、ベースハウジング及びスライドハウジングを幅方向への突出部及びこれが嵌挿する溝により関係づけると共に、ベースハウジング及びスライドハウジングを貫通して両端を各ハウジングにそれぞれ圧入したコンタクトで両ハウジングを弾性的に連結したので、高さ方向の引き抜き力に対する強度が高くて両ハウジングが外れにくく、スライドハウジングが高さ方向に直交する任意の方向にスライドして相手側コンタクトとの接触不良やコンタクトの座屈などを起こすことなく相手側コネクタとの相対位置のずれを確実に吸収することができ、また簡単に製造することができ、しかもコンタクトの剛性設定により高い自立性を併せ持ったフローティングコネクタを提供することができた。
【００２０】
請求項２のようにすれば、第１の板面の弾性的な撓みと第２の板面の弾性的な撓みとが合成されることで接触部及び接続部が高さ方向に直交する任意の方向にずれることができ、簡単な構成でフローティング部を実現することができる。
【００２１】
請求項３のようにすれば、ベースハウジングの第１貫通孔及びスライドハウジングの第２貫通孔にベースハウジングの側からコンタクトを圧入することができる。
【００２２】
請求項４のようにすれば、フローティングコネクタと相手側コネクタとの相対位置にずれがあっても、スライドハウジングのスライドによって、このずれが吸収されてロック部は相手側コネクタに安定的に係合することができる。
【発明を実施するための最良の形態】
【００２３】
以下、本発明の実施の形態を説明する。図１ないし図７は本発明の実施形態であるフローティングコネクタ１００を示す。このフローティングコネクタ１００は、図１１及び図１２に示す相手側コネクタ２００に嵌合し又は相手側コネクタ２００から引き抜かれる。嵌合及び引き抜きは高さ方向に沿って行われる。この実施形態のフローティングコネクタ１００は凸部１２１を有しており、この凸部１２１が相手側コネクタ２００の凹部２１１に嵌入することで嵌合を果たすが、この関係が逆になっていてもよい。また、この実施形態のフローティングコネクタ１００は雌形のコンタクト１３０を有しており、このコンタクト１３０が相手側コネクタ２００の雄形のコンタクト２２０と嵌合することで接続を果たすが、この関係が逆になっていてもよい。互いに直交する奥行き方向、幅方向、及び高さ方向を想定し、これらの方向付けを利用して説明する。この実施形態の場合、図３で説明すれば、図３の左右方向が奥行き方向であり、図３の左方が奥行き方向の奥、右方が奥行き方向の手前である。また、図３の紙面に垂直な方向が幅方向であり、図３の上下方向が高さ方向である。
【００２４】
フローティングコネクタ１００は、絶縁性のベースハウジング１１０と、このベースハウジング１１０に高さ方向に重なる絶縁性のスライドハウジング１２０とを備えている。ベースハウジング１１０の高さ方向の一端には高さ方向に向いた第１接触面１１１が形成されている。ベースハウジング１１０には第１貫通孔１１２が高さ方向に貫通して設けられている。スライドハウジング１２０の高さ方向の一端には高さ方向に向くと共に、ベースハウジング１１０の第１接触面１１１と接触する第２接触面１２２が形成されている。スライドハウジング１２０には、ベースハウジング１１０の第１貫通孔１１２に連続する第２貫通孔１２３が高さ方向に貫通して設けられている。
【００２５】
フローティングコネクタ１００には導電性のコンタクト１３０が、ベースハウジング１１０とスライドハウジング１２０とに跨るように設けられている。このコンタクト１３０は、ベースハウジング１１０の第１貫通孔１１２及びスライドハウジング１２０の第２貫通孔１２３に高さ方向の一方側から挿入される。このコンタクト１３０は、接続部１３１と、接触部１３２と、この接続部１３１と接触部１３２との間に設けられたフローティング部１３３とを備えている。接続部１３１は、ベースハウジング１１０の第１貫通孔１１２に圧入されている。この接続部１３１の先端部１３１ａ、つまり接続部１３１におけるフローティング部１３３の側とは反対側の端部は第１貫通孔１１２から外部に突き出ており、この先端部１３１ａが外部の部材の導体に接続される。この外部の部材は例えばプリント配線板であり、接続形態は例えばハンダ付けである。接触部１３２は、スライドハウジング１２０の第２貫通孔１２３に圧入され、相手側コネクタ２００のコンタクト２２０に接触する。この実施形態の場合、コンタクト１３０は雌形であるので、接触部１３２はほぼ箱形に形成されている。接触部１３２は第２貫通孔１２３のなかに収まっていてもよいし、一部が第２貫通孔１２３から外部に突き出ていてもよい。フローティング部１３３は、接触部１３２及び接続部１３１が高さ方向に直交する任意の方向にずれることができるように弾性変形する。
【００２６】
スライドハウジング１２０には、幅方向の両側に突出した突出部１２４が設けられている。そして、ベースハウジング１１０には、幅方向の両側に、幅方向の外側に向かって凹む溝１１３が奥行き方向に沿って延びると共に、この溝１１３の少なくとも奥行き方向の手前が開放されている。溝１１３の奥行き方向の奥も開放するようにしてもよい。そして、この溝１１３に突出部１２４が幅方向及び奥行き方向に余裕をもって嵌挿されることでスライドハウジング１２０がベースハウジング１１０に対して高さ方向に直交する任意の方向にスライド可能となり且つ高さ方向の移動が規制されるように構成している。この実施形態とは逆にベースハウジングに突出部を設けると共に、スライドハウジングに溝を設けてもよい。
【００２７】
図８ないし図１０に示すように、コンタクト１３０のフローティング部１３３は、高さ方向に直交し且つ互いに交差する２方向を向いた第１の板面１３３ａ及び第２の板面１３３ｂを高さ方向に連続して設けることで構成されている。交差する２方向は、直交する２方向であることが、力のバランスの面から好ましく、また製造容易である面からも好ましいが、交差しておればよく、直交する場合に限定されるものではない。このコンタクト１３０は一枚の素板を折り曲げて成形されている。
【００２８】
コンタクト１３０の接触部１３２には第２貫通孔１２３を構成する壁に食い込む第２の突起部１３２ａが形成され、第１貫通孔１１２はこの接触部１３２及び第２の突起部１３２ａが通過できるように設けられている。また、コンタクト１３０の接続部１３１には第１貫通孔１１２を構成する壁に食い込む第１の突起部１３１ｂが形成されている。第２の突起部１３２ａは高さ方向からみて接触部１３２の輪郭を拡張するように突出し、第１の突起部１３１ｂは高さ方向からみて接続部１３１の輪郭を拡張するように突出している。
【００２９】
スライドハウジング１２０には、相手側コネクタ２００に係合するロック部１２６が設けられている。このロック部１２６は高さ方向に延びるアームであり、先端にフック１２６ａが設けられており、このフック１２６ａが相手側コネクタ２００のハウジング２１０に突出して設けられたロック部２１２に係合して、ベースハウジング１１０とスライドハウジング１２０とが容易に外れないようにしている。
【００３０】
従って、このフローティングコネクタ１００の場合、溝１１３に突出部１２４が幅方向及び奥行き方向に余裕をもって嵌挿されることでスライドハウジング１２０がベースハウジング１１０に対して高さ方向に直交する任意の方向にスライド可能となり且つ高さ方向の移動が規制されている。そして、スライドハウジング１２０がベースハウジング１１０に対してスライドしてもコンタクト１３０のフローティング部１３３が弾性変形することでこれを吸収する。そのため、相手側コネクタ２００との相対位置にずれがあっても、スライドハウジング１２０のスライドによって、このずれが吸収されて相手側コネクタ２００に嵌合することができる。その場合、高さ方向の引き抜き力への強度が高くなってベースハウジング１１０とスライドハウジング１２０とが外れにくくなる。また、スライドハウジング１２０は高さ方向に直交する任意の方向に自在にスライドして相手側コネクタとの相対位置のずれを確実に吸収することができる。コンタクト１３０の接触部１３２がスライドハウジング１２０の第２貫通孔１２３に圧入されているので、フローティング部１３３が撓んでも接触部１３２がスライドハウジング１２０に対して移動することがなく、コンタクト１３０の接触部１３２が相手側コンタクト２２０との間で接触不良をきたすことはなく、コンタクト１３０の接触部１３２が相手側コネクタ２００に当たって座屈することもない。さらに、ベースハウジング１１０及びスライドハウジング１２０のうち一方に他方を嵌挿し、第１貫通孔１１２及び第２貫通孔１２３にコンタクト１３０を挿入してベースハウジング１１０及びスライドハウジング１２０に圧入すれば、フローティングコネクタ１００が簡単に製造される。しかも、例えば板厚を変えるなどしてコンタクト１３０の剛性設定を適切に行えば高い自立性を併せ持ったフローティングコネクタ１００ができる。
【００３１】
本発明のコンタクトのフローティング部は、接続部と接触部との間に設けられ、接触部及び接続部が高さ方向に直交する任意の方向にずれることができるように弾性変形するものであればよい。しかし、上記実施形態の場合、コンタクト１３０のフローティング部１３３は、高さ方向に直交し且つ互いに交差する２方向を向いた第１の板面１３３ａ及び第２の板面１３３ｂを高さ方向に連続して設けることで構成されている。このようにすれば、第１の板面１３３ａの弾性的な撓みと第２の板面１３３ｂの弾性的な撓みとが合成されることで接触部１３２及び接続部１３１が高さ方向に直交する任意の方向にずれることができ、簡単な構成でフローティング部１３３を実現することができる。
【００３２】
本発明のコンタクトは、ベースハウジングの第１貫通孔及びスライドハウジングの第２貫通孔に高さ方向の一方側から挿入され、接続部がベースハウジングの第１貫通孔に圧入し、接触部がスライドハウジングの第２貫通孔に圧入する構成であればよい。上記実施形態の場合、コンタクト１３０の接触部１３２には第２貫通孔１２３を構成する壁に食い込む第２の突起部１３２ａが形成され、第１貫通孔１１２はこの接触部１３２及び第２の突起部１３２ａが通過できるように設けられており、コンタクト１３０の接続部１３１には第１貫通孔１１２を構成する壁に食い込む第１の突起部１３１ｂが形成されている。このようにすれば、ベースハウジング１１０の第１貫通孔１１２にコンタクト１３０を接触部１３２から挿入すると、接触部１３２は第１貫通孔１１２を通過してスライドハウジング１２０の第２貫通孔１２３に入り、第２の突起部１３２ａが第２貫通孔１２３を構成する壁に食い込むと共に、接続部１３１の第１の突起部１３１ｂが第１貫通孔１１２を構成する壁に食い込み、これによってコンタクト１３０の圧入が完了する。
【００３３】
本発明はロック部を設けないフローティングコネクタの実施形態を含む。しかし、上記実施形態の場合、相手側コネクタ２００に係合するロック部１２６が、スライドハウジング１２０に設けられている。このようにすれば、フローティングコネクタ１００と相手側コネクタ２００との相対位置にずれがあっても、スライドハウジング１２０のスライドによって、このずれが吸収されてロック部１２６は相手側コネクタ２００に安定的に係合することができる。
【００３４】
本発明は、以上の実施形態の特徴を適宜組み合わせてなる実施形態を含むものである。また、本発明は上記実施形態によって限定解釈されるものではない。
【図面の簡単な説明】
【００３５】
【図１】実施形態のフローティングコネクタを示す斜視図である。
【図２】実施形態のフローティングコネクタを奥行き方向の手前からみた正面図である。
【図３】実施形態のフローティングコネクタを幅方向からみた左側面図である。
【図４】実施形態のフローティングコネクタを奥行き方向の奥からみた背面図である。
【図５】実施形態のフローティングコネクタを高さ方向からみた底面図である。
【図６】図５におけるＶＩ−ＶＩ線断面図である。
【図７】図５におけるＶＩＩ−ＶＩＩ線断面図である。
【図８】コンタクトの拡大斜視図である。
【図９】コンタクトを幅方向からみた拡大側面図である。
【図１０】コンタクトを奥行き方向の手前からみた拡大正面図である。
【図１１】相手側コネクタの斜視図である。
【図１２】相手側コネクタの縦断面図である。
【符号の説明】
【００３６】
１００  フローティングコネクタ
１１０  ベースハウジング
１１１  第１接触面
１１２  第１貫通孔
１１３  溝
１２０  スライドハウジング
１２２  第２接触面
１２３  第２貫通孔
１２４  突出部
１２６  ロック部
１３０  コンタクト
１３１  接続部
１３１ａ  先端部
１３１ｂ  第１の突起部
１３２  接触部
１３２ａ  第２の突起部
１３３  フローティング部
１３３ａ  第１の板面
１３３ｂ  第２の板面
２００  相手側コネクタ
２２０  コンタクト
【図１】
2005093424.tif 000003
【図２】
2005093424.tif 000004
【図３】
2005093424.tif 000005
【図４】
2005093424.tif 000006
【図５】
2005093424.tif 000007
【図６】
2005093424.tif 000008
【図７】
2005093424.tif 000009
【図８】
2005093424.tif 000010
【図９】
2005093424.tif 000011
【図１０】
2005093424.tif 000012
【図１１】
2005093424.tif 000013
【図１２】
2005093424.tif 000014